(57)【特許請求の範囲】
【請求項１】
目盛板上で摘み部材の回転により限時時間を設定する設定指針と、パルスモータの動作で前記設定指針の位置から零点位置間で移動可能な可動指針と、この可動指針が零点位置まで移動したことを検出する零点検出回路と、この零点検出回路に応答して限時出力を発生する出力回路とを有する可動指針型タイマにおいて、
前記パルスモータのモータ駆動回路と前記零点検出回路及び前記出力回路とをマイクロコンピュータで制御するようにしたことを特徴とする可動指針型タイマ。
【請求項２】
前記モータ駆動回路は、発振回路の出力を時間仕様切替手段に応じたパルスに変換する計数回路の出力で駆動される請求項１に記載の可動指針型タイマ。
【請求項３】
前記零点検出回路は、ホール素子の出力で駆動されると共に、前記出力回路に信号を送りリレーを駆動するようにした請求項１又は請求項２に記載の可動指針型タイマ。
【請求項４】
電源回路と、前記モータ制御回路と、前記パルスモータと、前記零点検出回路とを基板に搭載した状態でメインフレームに組み付け、このメインフレームをケースに固着し、前記メインフレームに、タイマ本体を取付部材に固定するタイマ取付用部材を設けた請求項１又は請求項２又は請求項３に記載の可動指針型タイマ。
【請求項５】
目盛板の表示窓部から時間仕様を表示し、この時間仕様の切替を前記ケースの外より行うようにした請求項４に記載の可動指針型タイマ。
【請求項６】
前記パルスモータの回転を前記可動指針に伝達するクラッチ手段を有し、このクラッチ手段を、前記パルスモータにより回転駆動され且つ一方の噛合い歯部を有する駆動側ギヤと、前記駆動側ギヤに対して離接可能に配され且つ他方の噛合い歯部を有する従動側ギヤと、前記駆動側ギヤを前記従動側ギヤ側に付勢して前記一方の噛合い歯部を前記他方の噛合い歯部に噛合わせて前記駆動側ギヤを前記従動側ギヤに結合するギヤ復帰ばねと、電磁石を有してこの電磁石のオン作動により前記駆動側ギヤを前記ギヤ復帰ばねに抗して移動させて前記駆動側ギヤと前記従動側ギヤとの結合を解除するクラッチアクチュエータで構成した請求項１又は請求項２又は請求項３又は請求項４又は請求項５に記載の可動指針型タイマ。
【請求項７】
前記パルスモータの回転を前記可動指針に伝達するクラッチ手段を有し、このクラッチ手段を、前記パルスモータにより回転駆動され且つ一方の噛合い歯部を有する駆動側ギヤと、前記駆動側ギヤに対して離接可能に配され且つ他方の噛合い歯部を有する従動側ギヤと、前記駆動側ギヤを前記従動側ギヤ側に付勢して前記一方の噛合い歯部を前記他方の噛合い歯部に噛合わせて前記駆動側ギヤを前記従動側ギヤに結合するギヤ付勢手段と、前記駆動側ギヤと前記従動側ギヤとの結合を解除する付勢解除手段とを備え、前記ギヤ付勢手段を、電磁石を有してこの電磁石のオン作動により前記駆動側ギヤを前記従動側ギヤ側に付勢して前記一方の噛合い歯部を前記他方の噛合い歯部に噛合わせて前記駆動側ギヤを前記従動側ギヤに結合するクラッチアクチュエータとで構成し、前記付勢解除手段を、前記クラッチアクチュエータの前記電磁石の消磁時に、前記駆動側ギヤを前記従動側ギヤから離反する方向に付勢して前記駆動側ギヤと前記従動側ギヤとの結合を解除するギヤ復帰ばねで構成した請求項１又は請求項２又は請求項３又は請求項４又は請求項５に記載の可動指針型タイマ。
【請求項８】
前記出力回路が駆動するリレーが限時固定出力リレーである電気復帰タイプである請求項３に記載の可動指針型タイマ。
【請求項９】
前記出力回路が駆動するリレーが限時固定出力リレーと、限時・瞬時切替出力リレーとであり、且つ前記限時・瞬時切替出力リレーの切替えを切替手段により行う自己復帰タイプである請求項３に記載の可動指針型タイマ。
【請求項１０】
前記切替手段が、前記ケース外から操作されるスライドスイッチ構成である請求項９に記載の可動指針型タイマ。
【発明の詳細な説明】
【０００１】
【発明の属する技術分野】
本発明は、可動指針型タイマに関するものである。
【０００２】
【従来の技術】
従来の可動指針型タイマとしては、図２８に示すようにクラッチ２００を備えており、このクラッチ２００は、駆動軸２０１側に固着されて噛合歯部２０２Ａを有する駆動側クラッチホイール２０２と、従動軸２０３側に固着されて噛合歯部２０４Ａを有する従動側クラッチホイール２０４とを有しており、駆動軸２０１には減速機２０６の最終段のギヤ２０７に噛合う入力ギヤ２０８が固着してあり、駆動軸２０１は、その下部側に、駆動側クラッチホイール２０２と従動側クラッチホイール２０４との噛合歯部２０２Ａ、２０４Ａの噛合いと離反を制御するため零点検出用マイクロスイッチ２０９の出力に応答するクラッチコイル２２０が設けてある。
【０００３】
また、前記減速機２０６は、商用電源に同期した一定速度で回転する同期モータ２２２の出力側に設けてあって、この減速機２０６は、同期モータ２２２の回転速度を調整するためのものである。すなわち、同期モータ２２２の回転速度は一定であるから、可動指針２２１の移動速度を調整するために、その減速機２０６は、その調整に対応した歯数等が調整された数枚のギヤの組み合わせで構成してある。
【０００４】
また、前記従動軸２０３の上端は目盛板２２３の中央を貫通しており、この貫通端部には前記可動指針２２１が固着してある。また、設定指針２２４は設定時限位置に止まるように、また、可動指針２２１のストッパとして機能するように目盛板２２３上で前記従動軸２０３に関連して取り付けられている。また、従動軸２０３には復帰スプリング２２５と接点押圧レバー２２６とが設けてある。
【０００５】
この復帰スプリング２２５は、従動軸２０３の回転で可動指針２２１が零点位置方向すなわち図２８で反時計回り方向に移動するときには、その復帰力が蓄積されるようになっている。また、接点押圧レバー２２６は、可動指針２２１が零点位置に到達するときに零点検出用マイクロスイッチ２０９を作動させるために、その接点を押圧できるようになっている。
【０００６】
まず、タイマ動作の開始と共に商用電源の周波数に同期した一定速度で同期モータ２２２が回転を始める。これに伴って、同期モータ２２２は、その回転数を減速機２０６で減速されて駆動軸２０１を回転させる。零点検出用マイクロスイッチ２０９の接点は、接点押圧レバー２２６によって押圧されていないから、クラッチコイル２２０は通電されていない。
【０００７】
したがって、従動軸２０３と駆動軸２０１とはクラッチ２００を介して接続されているので、従動軸２０３は、駆動軸２０１の回転に連動して回転させられる。これによって、可動指針２２１が目盛板２２３上を設定指針２２４の設定時限位置から零点位置方向に向けて移動する。
【０００８】
可動指針２２１が設定時限の経過と同時に零点位置に到達すると、接点押圧レバー２２６が零点検出用マイクロスイッチ２０９の接点を押圧し、クラッチコイル２２０が通電させられる。これによって、クラッチコイル２２０は、クラッチ２００の噛合いを離反させるべく駆動軸２０１を引き下げ、従動軸２０３と駆動軸２０１との結合を解除させる。その結果、従動軸２０３は復帰スプリング２２５の復元力で回転して、可動指針２２１は設定指針２２４の目盛位置まで復帰移動させられる。
【０００９】
可動指針２２１が設定指針２２４の目盛位置まで復帰移動させられると、接点押圧レバー２２６が零点検出用マイクロスイッチ２０９の接点から離れる。そのために、クラッチコイル２２０には通電されなくなって再びクラッチ２００が入り、従動軸２０３と駆動軸２０１とはクラッチ２００を介して接続される。
【００１０】
【発明が解決しようとする課題】
しかしながら、上記従来の可動指針型タイマにあっては、クラッチは、噛合歯部２０２Ａを有する駆動側クラッチホイール２０２と、噛合歯部２０４Ａを有する従動側クラッチホイール２０４とで構成してあり、また、駆動側クラッチホイール２０２と従動側クラッチホイール２０４との結合と離反を制御するために、零点検出用マイクロスイッチ２０９の出力に応答するクラッチコイル２２０を使用し、また、商用電源に同期した一定速度で回転する同期モータ２２２を使用し、この回転速度を調整するために減速機２０６を使用する等、構成がすべてメカニカル部品で構成されていて、構成が複雑で、金型のメンテナンス、部品管理、寸法維持に労力を要していたし、高コストになるばかりか、クラッチを含めてタイマが大型になるという問題点があった。
【００１１】
また、タイマを使用する実作業者は、時間経過を見ながら作業することが多く、タイマを使用する食品の小型汎用機は、年配の実作業者によって使用されることが多い。このために、アップ・ダウンキーによる設定に手間がかかるデジタルタイマに比較して、視認性、操作性の良い可動指針型タイマが見直されてきている。
【００１２】
本発明は、上記の問題点に着目して成されたものであって、その目的とするところは、メカニカル部品を極力少なくし得て、構成を簡単化して、金型のメンテナンス、部品管理、寸法維持に労力を要することなく、低コストを達成することができるばかりか、デジタルタイマに比較して、視認性、操作性の良いものとなる可動指針型タイマを提供することにある。
【００１３】
【課題を解決するための手段】
上記の目的を達成するために、請求項１の発明に係る可動指針型タイマは、目盛板上で摘み部材の回転により限時時間を設定する設定指針と、パルスモータの動作で前記設定指針の位置から零点位置間で移動可能な可動指針と、この可動指針が零点位置まで移動したことを検出する零点検出回路と、この零点検出回路に応答して限時出力を発生する出力回路とを有する可動指針型タイマにおいて、前記パルスモータのモータ駆動回路と前記零点検出回路及び前記出力回路とをマイクロコンピュータで制御するようにしたことを特徴とする。
【００１４】
かかる構成により、パルスモータのモータ駆動回路と零点検出回路及び出力回路とをマイクロコンピュータで制御するようにして、メカニカル部品を極力少なくし得て、構成を簡単化して、金型のメンテナンス、部品管理、寸法維持に労力を要することなく、低コストを達成することができるばかりか、アップ・ダウンキーによる設定に手間がかかるデジタルタイマに比較して、視認性、操作性の良いものとなる。
【００１５】
また、駆動源にパルスモータを用い、このパルスモータの電源に電源回路を用いることにより、内部をＤＣ化することができ、フリー電圧で且つ５０／６０ＨＺの区分なしに、タイマを使用することができるようになる。このために、電圧仕様のシリーズを減少させることができて在庫管理が容易になるし、時間仕様が商用周波数に影響されないものになる。
【００１６】
また、上記の目的を達成するために、請求項２の発明に係る可動指針型タイマは、請求項１に記載の可動指針型タイマにおいて、前記モータ駆動回路は、発振回路の出力を時間仕様切替手段に応じたパルスに変換する計数回路の出力で駆動される。
【００１７】
かかる構成により、上記した請求項１の発明の作用効果と同様な作用効果を有するばかりか、発振回路の出力を時間仕様切替手段に応じたパルスに変換する計数回路の出力で駆動することにより、時間仕様に応じてパルスモータを駆動することができる。
【００１８】
また、上記の目的を達成するために、請求項３の発明に係る可動指針型タイマは、請求項１又は請求項２に記載の可動指針型タイマにおいて、前記零点検出回路は、ホール素子の出力で駆動されると共に、前記出力回路に信号を送りリレーを駆動するようにした。
【００１９】
かかる構成により、上記した請求項１の発明の作用効果と同様な作用効果を有するばかりか、零点検出が容易になり、出力回路に信号を送りリレーを駆動することができる。
【００２０】
また、上記の目的を達成するために、請求項４の発明に係る可動指針型タイマは、請求項１又は請求項２又は請求項３に記載の可動指針型タイマにおいて、電源回路と、前記モータ制御回路と、前記パルスモータと、前記零点検出回路とを基板に搭載した状態でメインフレームに組み付け、このメインフレームをケースに固着し、前記メインフレームに、タイマ本体を取付部材に固定するタイマ取付用部材を設けたことを特徴とする。
【００２１】
かかる構成により、上記した請求項１の発明の作用効果と同様な作用効果を有するばかりか、ケース内に、前記電源回路と、前記モータ制御回路と、パルスモータと、前記零点検出回路とをコンパクトに収納することができて、組み立て性も良好になるし、また、可動指針型タイマを、タイマ取付用部材を用いて、例えば取付部材に取り付けた場合に、前記電源回路と、前記モータ制御回路と、前記パルスモータと、前記零点検出回路の重量がすべてメインフレームを介して取付部材に加わり支えられて、ケースには前記重量が加わらないために、このケースを、肉厚の薄い小型にすることができ、可動指針型タイマ自体を小型化、軽量化することができる。
【００２２】
また、上記の目的を達成するために、請求項５の発明に係る可動指針型タイマは、請求項４に記載の可動指針型タイマにおいて、目盛板の表示窓部から時間仕様を表示し、この時間仕様の切替を前記ケースの外より行うようにした。
【００２３】
かかる構成により、上記した請求項４の発明の作用効果と同様な作用効果を有するばかりか、時間仕様の切替をケースの外より行うことが可能になって、時間仕様の切替を容易に行うことができる。
【００２４】
また、上記の目的を達成するために、請求項６の発明に係る可動指針型タイマは、請求項１又は請求項２又は請求項３又は請求項４又は請求項５記載の可動指針型タイマにおいて、前記パルスモータの回転を可動指針に伝達するクラッチ手段を有し、このクラッチ手段を、駆動源により回転駆動され且つ一方の噛合い歯部を有する駆動側ギヤと、前記駆動側ギヤに対して離接可能に配され且つ他方の噛合い歯部を有する従動側ギヤと、前記駆動側ギヤを前記従動側ギヤ側に付勢して前記一方の噛合い歯部を前記他方の噛合い歯部に噛合わせて前記駆動側ギヤを前記従動側ギヤに結合するギヤ復帰ばねと、電磁石を有してこの電磁石のオン作動により前記駆動側ギヤを前記ギヤ復帰ばねに抗して移動させて前記駆動側ギヤと前記従動側ギヤとの結合を解除するクラッチアクチュエータで構成した。
【００２５】
かかる構成により、上記した請求項１の発明の作用効果と同様な作用効果を奏し得ることができるばかりか、クラッチアクチュエータの電磁石に通電されていない状態では、このクラッチアクチュエータは作動せず、前記ギヤ復帰ばねのばね付勢力により、前記駆動側ギヤは、前記従動側ギヤ側に付勢されて、前記一方の噛合い歯部が前記他方の噛合い歯部に噛合い、クラッチ・オンの状態になって、前記駆動側ギヤが前記従動側ギヤに結合している。したがって、パルスモータにより駆動側ギヤが回転駆動されると、この回転は一方及び他方の噛合い歯部を介して従動側ギヤに伝達されて出力される。
【００２６】
また、前記クラッチアクチュエータの電磁石に通電すると、このクラッチアクチュエータが作動して、前記駆動側ギヤを前記ギヤ復帰ばねに抗して移動させてクラッチ・オフの状態になって、前記駆動側ギヤと前記従動側ギヤとの結合を解除する。このために、パルスモータにより駆動側ギヤが回転駆動されても、この回転は従動側ギヤに伝達されず、出力されない。
【００２７】
また、上記の目的を達成するために、請求項７の発明に係る可動指針型タイマは、請求項１又は請求項２又は請求項３又は請求項４又は請求項５記載の可動指針型タイマにおいて、前記パルスモータの回転を可動指針に伝達するクラッチ手段を有し、このクラッチ手段を、前記パルスモータにより回転駆動され且つ一方の噛合い歯部を有する駆動側ギヤと、前記駆動側ギヤに対して離接可能に配され且つ他方の噛合い歯部を有する従動側ギヤと、前記駆動側ギヤを前記従動側ギヤ側に付勢して前記一方の噛合い歯部を前記他方の噛合い歯部に噛合わせて前記駆動側ギヤを前記従動側ギヤに結合するギヤ付勢手段と、前記駆動側ギヤと前記従動側ギヤとの結合を解除する付勢解除手段とを備え、前記ギヤ付勢手段を、電磁石を有してこの電磁石のオン作動により前記駆動側ギヤを前記従動側ギヤ側に付勢して前記一方の噛合い歯部を前記他方の噛合い歯部に噛合わせて前記駆動側ギヤを前記従動側ギヤに結合するクラッチアクチュエータとで構成し、前記付勢解除手段を、前記クラッチアクチュエータの前記電磁石の消磁時に、前記駆動側ギヤを前記従動側ギヤから離反する方向に付勢して前記駆動側ギヤと前記従動側ギヤとの結合を解除するギヤ復帰ばねで構成した。
【００２８】
かかる構成により、上記した請求項１の発明の作用効果と同様な作用効果を奏し得ることができるばかりか、クラッチアクチュエータの電磁石に通電して、このクラッチアクチュエータを作動することにより、前記駆動側ギヤは、前記従動側ギヤ側に付勢されて、前記一方の噛合い歯部が前記他方の噛合い歯部に噛合い、クラッチ・オンの状態になって、前記駆動側ギヤが前記従動側ギヤに結合している。したがって、駆動源により駆動側ギヤが回転駆動されると、この回転は一方及び他方の噛合い歯部を介して従動側ギヤに伝達されて出力される。
【００２９】
また、前記クラッチアクチュエータの電磁石への通電を遮断すると、このクラッチアクチュエータが作動を停止するので、前記駆動側ギヤを前記ギヤ復帰ばねが移動させてクラッチ・オフの状態になって、前記駆動側ギヤと前記従動側ギヤとの結合を解除する。このために、パルスモータにより駆動側ギヤが回転駆動されても、この回転は従動側ギヤに伝達されず、出力されない。
【００３０】
上記したように、前記駆動側ギヤと前記従動側ギヤとの結合作動にクラッチアクチュエータを用い、この結合解除にギヤ復帰ばねを用いるように、省スペース、低コスト化が可能なクラッチを用いた自己復帰タイプの可動指針型タイマを実現することができる。
【００３１】
また、上記の目的を達成するために、請求項８の発明に係る可動指針型タイマは、請求項３に記載の可動指針型タイマにおいて、前記出力回路が駆動するリレーが限時固定出力リレーである電気復帰タイプである。
【００３２】
かかる構成により、上記した請求項３の発明の作用効果と同様な作用効果を奏し得ることができるばかりか、電気復帰タイプの可動指針型タイマを提供することができる。
【００３３】
また、上記の目的を達成するために、請求項９の発明に係る可動指針型タイマは、請求項３に記載の可動指針型タイマにおいて、前記出力回路が駆動するリレーが限時固定出力リレーと、限時・瞬時切替出力リレーとであり、且つ前記限時・瞬時切替出力リレーの切替えを切替手段により行う自己復帰タイプである。
【００３４】
かかる構成により、上記した請求項３の発明の作用効果と同様な作用効果を奏し得ることができるばかりか、自己復帰タイプの可動指針型タイマを提供することができる。
【００３５】
また、上記の目的を達成するために、請求項１０の発明に係る可動指針型タイマは、請求項９に記載の可動指針型タイマにおいて、前記切替手段が、前記ケース外から操作されるスライドスイッチ構成である。
【００３６】
かかる構成により、上記した請求項９の発明の作用と同様な作用を奏し得ることができるばかりか、スライドスイッチをケース外から操作して、前記限時・瞬時切替出力リレーの切替えをおこなうことができる。
【００３７】
【発明の実施の形態】
以下、本発明に係る可動指針型タイマを、図面を参照して説明する。
【００３８】
（実施の形態例１）
本発明に係る可動指針型タイマの実施の形態例１を図１乃至図２２に示す。
本発明に係る可動指針型タイマＴはモータタイマであり、そのブロック構成は、図４に示すように端子台部１と、この端子台部１の出力側に接続された電源回路２と、この電源回路２の出力側に接続された制御回路３と、この制御回路３により制御されるパルスモータ（ステッピングモータ）４と、このパルスモータ４の出力側に減速ギヤ列１０を介して接続されたクラッチ手段５と、このクラッチ手段５の出力側に設けられた表示部６と、制御回路（マイクロコンピュータ）３の出力側に設けられた出力回路１４と、クラッチ手段５を制御する検出手段１３とで構成してある。
【００３９】
そして、より詳しくは、クラッチ手段５として電気復帰タイプのクラッチＫを用いた可動指針型タイマＴにおいては、図５に示すように端子台部１の第１端子▲１▼と第２端子▲２▼とに電源回路２の入力側が接続してあり、この電源回路２の出力側は、制御回路３内の発振回路（発振手段）７の入力側に接続してあり、この発振回路７の出力側は計数回路８の入力側に接続してある。この計数回路８には時間仕様切替スイッチ（時間仕様切替手段）８Ａの出力側が接続してある。この計数回路８の出力側はモータ駆動回路９の入力側に接続してある。
【００４０】
モータ駆動回路９により駆動されるパルスモータ４の出力側には減速ギヤ列１０を介してクラッチＫの駆動側が接続してあり、このクラッチＫの被駆動側には表示部６の可動指針１２が接続してある。そして、クラッチＫには断続作動部（図示せず）が設けてあり、この断続作動部の駆動電源は前記電源回路２とは別構成のクラッチ用電源回路２−１の出力側から供給を受けている。
【００４１】
表示部６には検出手段１３である零点検出回路１３Ａが設けてあり、この零点検出回路１３Ａの出力側に出力回路１４が接続してあり、この出力回路１４の出力側には限時固定出力リレー１５の入力側に接続してある。また、出力回路１４の出力側には表示回路１７に接続してあり、この表示回路１７の出力側にはパワー表示部１８及びタイムアップ表示部１９が接続してある。また、クラッチ用電源回路２−１の出力側には、瞬時出力リレー１６の入力側が接続してある。なお、２０は設定指針（固定指針）である。
【００４２】
また、限時固定出力リレー１５は端子台１の第３、第４、第５端子▲３▼、▲４▼、▲５▼に接続してあり、瞬時出力リレー１６は端子台７１の第６、第７、第８端子▲６▼、▲７▼、▲８▼に接続してある。また、電源回路２は端子台１の第１、第２▲１▼、▲２▼に接続してあり、クラッチ用電源回路２−１は端子台１の第９、第１０端子▲９▼、◆に接続してある。
【００４３】
すなわち、本発明は、目盛板１１上で摘み部材８６の回転により限時時間を設定する設定指針８１と、パルスモータ４の動作で設定指針８１の位置から零点位置間で移動可能な可動指針２０と、この可動指針２０が零点位置まで移動したことを検出する零点検出回路１３Ａと、この零点検出回路１３Ａに応答して限時出力を発生する出力回路１４とを有し、パルスモータ４のモータ駆動回路９と零点検出回路１３Ａ及び出力回路１４とをマイクロコンピュータで制御するようにしてある。
【００４４】
そして、モータ駆動回路９は、発振回路７の出力を時間仕様切替スイッチ８Ａに応じたパルスに変換する計数回路８の出力で駆動されるし、零点検出回路１３Ａは、ホールＩＣのようなホール素子２４−１の出力で駆動されると共に、出力回路１３Ａに信号を送り限時固定出力リレー１５を駆動するようにしてある。
【００４５】
電気復帰タイプの可動指針型タイマＴは、図３に示すようにケース２１を備えており、このケース２１は、図６及び図７に示すように略円筒形状のケース本体２１Ａを有しており、このケース本体２１Ａの前面に四角形状の窓枠部２２が形成してあり、また、ケース本体２１Ａの後部には端子台形成部２１Ｂが形成してある。また、ケース本体２１Ａの下部には、時間仕様切替機構装着部２３とスライドスイッチの操作用孔部２９とが形成してある。時間仕様切替機構装着部２３には操作用孔部３０が形成してある。
【００４６】
窓枠部２２の前面部には、正面円環形状の係合用溝部２４と、正面四角枠形状の溝部２５と、パッキン装着部２６とが内側から外側に向かって形成してあり、窓枠部２２の外周面には複数の係止突起部２７が設けてある。また、窓枠部２２の４つの角部には、図６の（２）、図７の（３）に示すようにボルト挿通孔２８が形成してある。
【００４７】
そして、メインフレーム３１は、図８に示すように四角形状のプレート状のフレーム本体３１Ａを有しており、このフレーム本体３１Ａの４つの角部には、図８の（１）、（４）に示すようにボルト孔３２が形成してあり、また、フレーム本体３１Ａには、その中央部に孔部３３が、下部に窓部３４、３４Ａ、３４Ｂがそれぞれ設けてあり、フレーム本体３１Ａの背面部には４か所に基板取付用脚部３５が設けてある。また、フレーム本体３１Ａの背面部には、孔部３３を中心とした円環状の係合突起部３６と、一対の取付用ボス部３７とが形成してある。
【００４８】
そして、この係合突起部３６を窓枠部２２の係合用溝部２４に係合して、ケース２１の前面にメインフレーム３１が設けてある。この場合、ボルト孔３２にボルト挿通孔２８が一致している。そして、ボルト孔３２には、図２に示すようにタイマ取付用連結部材としての六角ボルトよりなる取付ボルト３２ー１が挿入係止してあり、この取付ボルト３２ー１はボルト挿通孔１８を貫通して裏方に突出している。そして、メインフレーム３１の前面部には目盛板１１が設けてある。この目盛板１１の下部には表示用窓１１Ａ、１１Ｂ、１１Ｃが設けてある。
【００４９】
そして、メインフレーム３１には、取付用ボス部３７を利用して，減速ギャ列１０、電気復帰タイプのクラッチＫ、パルスモータ４、制御回路（モーター駆動回路９等）３及び時間仕様切替機構部３９の組立体が搭載してある。
【００５０】
電気復帰タイプのクラッチＫは、図９に示すように、駆動源であるパルスモータ４により回転駆動され且つ一方の噛合い歯部１００Ａを有する駆動側ギヤであるクラッチホイールギヤ１００と、このクラッチホイールギヤ１００に対して離接可能に配され且つ他方の噛合い歯部１０１Ａを有する従動側ギヤであるクラッチピニオンギヤ１０１と、クラッチホイールギヤ１００をクラッチピニオンギヤ１０１側に付勢して一方の噛合い歯部１００Ａを他方の噛合い歯部１０１Ａに噛合わせてクラッチホイールギヤ１００をクラッチピニオンギヤ１０１に結合するギヤ復帰ばね１０２と、電磁石１０３を有してこの電磁石１０３のオン作動によりクラッチホイールギヤ１００をギヤ復帰ばね１０２に抗して移動させてクラッチホイールギヤ１００とクラッチピニオンギヤ１０１との結合を解除するクラッチアクチュエータ１０４とで大略構成してある。
【００５１】
このクラッチＫは、クラッチアクチュエータ１０４の電磁石１０３に通電されていない状態では、このクラッチアクチュエータ１０４は作動せず、前記ギヤ復帰ばね１０２のばね付勢力により、前記クラッチホイールギヤ１００は、クラッチピニオンギヤ１０１側に付勢されて、一方の噛合い歯部１００Ａが他方の噛合い歯部１０１Ａに噛合い、クラッチ・オンの状態になって、クラッチホイールギヤ１００がクラッチピニオンギヤ１０１に結合している。したがって、駆動源であるパルスモータ４によりクラッチホイールギヤ１００が回転駆動されると、この回転は一方及び他方の噛合い歯部１００Ａ、１０１Ａを介してクラッチピニオンギヤ１０１に伝達されて出力される。
【００５２】
また、前記クラッチアクチュエータ１０４の電磁石１０３に通電すると、このクラッチアクチュエータ１０４が作動して、前記クラッチホイールギヤ１００を前記ギヤ復帰ばね１０２に抗して移動させてクラッチ・オフの状態になって、前記クラッチホイールギヤ１００と前記クラッチピニオンギヤ１０１との結合を解除する。このために、パルスモータ４によりクラッチホイールギヤ１００が回転駆動されても、この回転はクラッチピニオンギヤ１０１に伝達されず、出力されない。
【００５３】
また、前記クラッチピニオンギヤ１０１に連結された出力ギヤ２１０の支軸部２４０は、メインフレーム３１の中央部の孔部３３及び目盛板１１の中央の孔部１１Ｄを貫通して前方に突出しており、この出力ギヤ２１０の支軸部２４０には可動指針２０が取り付けてある。この可動指針２０には、図１２に示すように引っ掛け用突起２０ｃとゼロマグネット２０ｂとが設けてある。
【００５４】
また、制御回路３は、図３の（１）、（２）に示すように第１〜第６基板４０〜４５を備えており、第１基板４０にはパルスモータ４のモータ駆動回路９等が搭載してあり、第２、第３基板４１、４２には発振回路７、計数回路８等が搭載してあり、第４基板４３には電源回路２等が搭載してあり、第５基板４４にはクラッチ用電源回路２−１等が搭載してあり、更には、第６基板４５はクラッチＫのケースの前面部に設けてあり、この第６基板４５にはホール素子２４−１等が搭載してある。
【００５５】
時間仕様切替機構部３９は、切替用回転部材４６と、切替用中間部材４７と、切替用表示部材４８と、切替用押えカバー４９とを備えており、切替用回転部材３６は、図１３の（１）〜（３）に示すようにその裏面中央に突設した係合脚部５０と、この係合脚部５０を中心とした円上に位置する複数の係止爪５１とを有しており、表面には十字状のドライバー挿入溝５２が形成してある。また、表面にはシール６２が張り付けてあり、このシール６２は周方向に５等分してあって、秒、分、時等の文字が表示してある。
【００５６】
また、切替用表示部材４８は、図１４の（１）〜（４）に示すように円筒状の部材本体４８Ａを有しており、この部材本体４８Ａの表面には係合溝５３が形成してあり、また、部材本体４８Ａの裏面中央には支軸５４が設けてあり、また、部材本体４８Ａの外周部には裏面側に寄せてギヤ部５５が形成してある。また、部材本体４８Ａの外周部には表面側に寄せて周方向を５等分する位置に位置決め用溝部５６が形成してあり、また、部材本体４８Ａの外周部にはシール５７が貼り付けてあり、このシール５７は周方向に５等分してあって、秒、分、時等の文字が表示してある。また、切替用表示部材４８の裏面には、図１４の（４）に示すように導電性の摺動子９６ａ、９６ｂ、９６ｃが取り付けてある。
【００５７】
また、切替用中間部材４７は、シール５７及び摺動子９６ａ、９６ｂ、９６ｃを除いた切替用表示部材４８と同構成である。
【００５８】
また、切替用押えカバー４９は、図１５の（１）〜（５）に示すように平板状のカバー本体４９Ａを有しており、このカバー本体４９Ａの両側部及び一端部には係止爪部５８ａを有する係止脚部５８が設けてあり、カバー本体４９Ａの面部には円形孔５９が一方端側に寄せて形成してある。また、カバー本体４９Ａの面部には、他方端側に寄せて片持ち形状の位置決め用フック６０が設けてある。
【００５９】
そして、切替用表示部材４８及び切替用中間部材４７とは、それぞれの支軸５４を、第５基板４４に設けた支承孔６１に回転可能に挿入して、前後に並べて配置してあり、切替用表示部材４８及び切替用中間部材４７とは、互いのギヤ部５５を噛み合わせている。また、切替用回転部材４８の裏面の摺動子９６ａ、９６ｂ、９６ｃが、第５基板４４に搭載してある切替用パターン（図示せず）に摺接している。
【００６０】
そして、切替用押えカバー４９は、その係止脚部５８を、第５基板４４に設けた係止孔（図示せず）に係止して、この第５基板４４に取り付けてあって、切替用表示部材４８及び切替用中間部材４７とを回転可能に保持している。この場合、位置決め用フック６０が位置決め用溝部５６に係止している。
【００６１】
そして、前記ケース２１に設けた時間仕様切替機構装着部２３の操作用孔部３０には、外方より、切替用回転部材４６の係合部５０と複数の係止爪５１とが挿入してあって、係止爪５１が操作用孔部３０の縁部の摺動可能に引っ掛けられており、係合部５０が切替用中間部材４７の係合溝５３に係合している。
【００６２】
そして、切替用回転部材４６を回転操作すると、切替用中間部材４７が回転し、この切替用中間部材４７にギヤ部５５で噛み合っている切替用表示部材４８が回転する。したがって、切替用回転部材４６において、この表面に表示された分（ｍｉｎ）なる文字を、ケース２１の時間仕様切替機構装着部２３の外面に設けた三角印６３に合わせると、切替用表示部材４８の外周部のシール５７に表示された分（ｍｉｎ）なる文字が、目盛板１１の下部の表示用窓１１Ａに位置する。この場合に、位置決め用フック６０が、分（ｍｉｎ）なる文字の位置の相当する位置決め用溝部５６に係止する。
【００６３】
ケース２１の窓枠部２２の前面部にはフロントカバー６５が、サイドカバー７５により取り付けてある。すなわち、このフロントカバー６５は、図１６の（１）〜（４）に示すように四角形状のカバー本体６５Ａを有しており、このカバー本体６５Ａの周部には周壁部６６が形成してあり、この周壁部６６の外周面には鍔部６７が形成してあって、この鍔部６７と、周壁部６６の外周面の鍔部６７より先側部分６８とでシール装着部６９が構成してある。また、周壁部６６の内周面には周方向に溝が形成してあって、先側部分６８が薄くしてあり、この部分が挿入突起部７０になっている。
【００６４】
また、カバー本体６５Ａの中央部には、円形孔７１と、この円形孔７１を中心としたボス部７２とが設けてあり、このボス部７２の外周部には段部よりなるパッキン装着部７３が形成してある。また、カバー本体６５Ａの中央部には、ボス部７２より外側に位置させて環状の座金受け部７４が形成してある。また、カバー本体６５Ａの内面には突起部７４Ａが形成してある。
【００６５】
サイドカバー７５は、図１７の（１）〜（４）に示すように中央に開口部７７を有する四角枠状のカバー本体７５Ａを有しており、このカバー本体７５Ａの周部には周壁部７６が形成してあり、周壁部７６には周方向に所定の間隔をおいて複数の係止孔７７Ａが形成してある。また、周壁部７６の開口部７７側の部位は湾曲しており、この湾曲部７８の内面には周方向に所定の間隔をおいて複数のリブ７９が形成してあり、これらのリブ７９に端部は押え部８０になっている。
【００６６】
そして、設定指針８１は、図１８の（１）〜（４）に示すようにその基部にボス部８２を有しており、このボス部８２には取付用孔部８３が形成してあり、また、指針部８４の基部には干渉突起部８５が形成してある。
【００６７】
また、摘み部材８６は、図１９の（１）〜（３）に示すようにその裏面８６ａの中央にねじ孔８７を有しており、また、裏面８６ａには、ねじ孔８７を中心にした円形状の摺接溝部８８が形成してある。
【００６８】
そして、フロントカバー６５の座金受け部７４に表面が波打つ座金９０を設け、フロントカバー６５のボス部７２のパッキン装着部７３にパッキン８９を装着した状態で、ボス部７２を摘み部材８６の摺接溝部８８に挿入し、また、設定指針８１のボス部８２を裏から円形孔７１に挿入し、設定指針８１の取付用孔部８３に取付ボルト９１を挿入して、この取付ボルト９１を摘み部材８６のねじ孔８７に螺合して、取付ボルト９１の締め付けにより、フロントカバー６５に摘み部材８６及び設定指針８１が回転可能に取り付けてある。
【００６９】
この場合、摘み部材８６の裏面８６ａに座金９０が当接して設定指針８１のトルクが適正に調整されている。また、パッキン８９が軸方向に圧縮力を受けないで保持されているために、パッキン８９が半径方向に広がらず、パッキン８９が適正な面圧で摺接溝部８８の外周面に摺接している。
【００７０】
そして、フロントカバー６５のシール装着部６９に四角枠状のシール部材８１を装着して、このフロントカバー６５の挿入突起部７０を、ケース２１の窓枠部２２の溝部２５に挿入し、フロントカバー６５の周部にサイドカバー７５を被せて、このサイドカバー７５をケース２１側に押しつけて、リブ７９の押え部８０で鍔部６７を押し、シール部材８１を鍔部６７とパッキン装着部２６とで圧縮し、この状態で、サイドカバー７５の係止孔７７Ａを、窓枠部２２の外周面の係止突起部２７に係止して、ケース２１の前面にフロントカバー６５が、サイドカバー７５により取り付けてある。
【００７１】
前記クラッチＫの駆動源であるパルスモータ（ステッピングモータ）４は、図２０に示すように歯車状に加工された環状のロータ１０６と、このロータ１０６の外側に配置されてロータ１０６と対向した歯車状のステータ１０８から大略構成してある。
【００７２】
パルスモータ４は、電磁石の吸引力によりロータ１０６の突極を引きつけることで発生する回転力を利用している。したがって、このパルスモータ４は、無励磁のとき保持トルクを発生しない。ステップ角は、例えば８度である。実施例のパルスモータ４のステータ１０８は６つの突極それぞれに励磁コイル１０７が巻回してある。ロータ１０６は８つの突極１０６Ａを備えている。
【００７３】
前記パルスモータ４の駆動制御部（制御回路３）を図２１に示す。この駆動制御部は、パルスを発生する発振回路７と、タイマの時限設定に見合った時限設定出力を出力する時限設定回路としての時間仕様切替手段である時間仕様切替スイッチ８Ａと、この時間仕様切替スイッチ８Ａからの時間仕様設定に対応した周波数のクロックパルスＣＰを基に、クロックパルスＣＰに応答して駆動信号Ｓ１、Ｓ２、Ｓ３を発生する計数回路８と、駆動信号Ｓ１、Ｓ２、Ｓ３によってオン作動する第１、第２、第３のモータ駆動トランジスタＴｒ１、Ｔｒ２、Ｔｒ３とからなるモータ駆動回路９とで大略構成してある。
【００７４】
このような駆動制御部において、計数回路８は、そのクロックパルスＣＰに応答して駆動信号Ｓ１、Ｓ２、Ｓ３を順次出力して、各駆動信号Ｓ１、Ｓ２、Ｓ３は対応する第１、第２、第３のモータ駆動トランジスタＴｒ１、Ｔｒ２、Ｔｒ３のそれぞれのベースに与えられる。第１、第２、第３のモータ駆動トランジスタＴｒ１、Ｔｒ２、Ｔｒ３は、各駆動信号Ｓ１、Ｓ２、Ｓ３に対応してオン作動し、ステータ１０８の励磁コイルＮ１＋、Ｎ１−；Ｎ２＋、Ｎ２−；Ｎ３＋、Ｎ３−に電流が流れ、パルスモータ４は起動力を与えられて回転する。
【００７５】
この場合、ステータ１０８の対向する突極同士に巻回されている励磁コイルＮ１＋とＮ１−（第１のモータ駆動トランジスタＴｒ１側）、励磁コイルＮ２＋とＮ２−（第２のモータ駆動トランジスタＴｒ２側）、励磁コイルＮ３＋とＮ３−（第３のモータ駆動トランジスタＴｒ３側）はそれぞれ互いに直列に接続されている。
【００７６】
また、前記計数回路８は、ホール素子２４−１からの零点位置検出信号の入力に応答してその駆動信号の出力を停止する。この停止によって、パルスモータ４はその回転を停止し、無励磁状態になり、保持トルクの無い状態となる。そして、ホール素子２４とゼロマグネット２０ｂとで検出手段１３Ａを構成している。この検出手段１３Ａはフォトセンサ、エンコーダ、リーフスイッチ等で構成してもよい。
【００７７】
上記のように構成された可動指針型タイマＴは、図３に示すようにケース２１の窓枠部２２の裏面部において、取付板１１０との間に防水パッキン１１１を介在した状態でタイマ取付用ボルト３２ー１により取付板１１０に取り付けられる。
【００７８】
この場合には、ケース２１の窓枠部２２の裏面部より突出している取付ボルト３２ー１を取付板１１０に設けた孔（図示せず）に挿入して、取付ボルト３２ー１にナット（図示せず）を取り付け、このナットを締め付けることにより行われる。したがって、電源回路２とモータ制御回路９とパルスモータ４とクラッチＫとの重量がすべてメインフレーム３１を介して取付板１１０に加わり支えられて、ケース２１には前記重量が加わらないために、このケース２１を、肉厚の薄い小型にすることができ、可動指針型タイマＴ自体を小型化、軽量化することができる。
【００７９】
次に、上記のように構成されて、電気復帰タイプのクラッチＫを用いた可動指針型タイマＴの作動を説明する。
前記設定指針８１と可動指針２０とが重なりあい、共に目盛り表示の０を指している状態で、前記摘み部材８６を指で摘んで、この摘み部材８６を捻ることにより設定指針８１を回転させて、所定の時刻、例えば３０秒の位置（目盛り表示が３０の位置）に移動させると、この設定指針８１に設けた連れ回り機構部、すなわち、設定指針８１の干渉突起部８５が可動指針２０の引っ掛け用突起２０ｃに干渉することにより、前記可動指針２０が設定指針８１と共に移動して目盛り表示が３０のところに位置する。
【００８０】
このように、前記設定指針８１と可動指針２０とを設定時限に対応して操作することにより、制御回路３に設定時限に対応する所要時限のデータを与える。制御回路（時間仕様切替スイッチ８Ａ）３からは、この操作に対応した設定信号が計数回路８に与えられる。
【００８１】
前記計数回路８は、上記のような所要時限に対応した周波数に設定されたクロックパルスＣＰの入力に応答して駆動信号Ｓ１、Ｓ２、Ｓ３をそれぞれ第１、第２、第３のモータ駆動トランジスタＴｒ１、Ｔｒ２、Ｔｒ３に順次出力していく。これによって、パルスモータ４のステータ１０８の突極に巻回されている励磁コイルＮ１＋、Ｎ１−；Ｎ２＋、Ｎ２−；Ｎ３＋、Ｎ３−に電流が流れ、パルスモータ４のロータ１０６が回転し、この回転によりモータピニオン１２０が回転して、このモータピニオン１２０に噛み合っているクラッチホィールギヤ１００が回転し、互いに噛み合っている噛合い歯部１００Ａ、１０１Ａを介してクラッチピニオンギヤ１０１が回転し、このクラッチピニオンギヤ１０１に噛み合っている出力ギヤ２１０が回転する。
【００８２】
この出力ギヤ２１０の回転に伴い、この出力ギヤ２１０の支軸部２４０に取り付けられた可動指針２０が設定時限位置（時間表示３０の位置）から零点位置に向けて移動を開始すると共に、指針復帰ばね１２１も同時に巻き込まれて復元エネルギーを蓄積していく。可動指針２０はパルスモータ４の回転速度に合わせて移動するが、その場合、設定時限位置と零点位置との間をその時限に合わせた時間をかけて移動することになる。
【００８３】
そして、可動指針２０が零点位置に到達すると、可動指針２０に設けられたゼロマグネット２０ｂがホール素子２４−１に対向した位置に来る結果、ホール素子２４−１は零点位置検出信号を制御回路（計数回路８）３に出力する。この計数回路８は、この零点位置検出信号の入力に応答して駆動信号Ｓ１、Ｓ２、Ｓ３に出力を停止するから、可動指針２０が零点位置に到達すると同時にパルスモータ４は無励磁の状態になり、保持トルクがなくなる。
【００８４】
また、可動指針２０が零点位置に到達すると同時に、前記クラッチアクチュエータ１０４の電磁石１０３に通電される。このために、前記クラッチアクチュエータ１０４の可動レバー１０４Ａが作動して、図１１に示すように前記クラッチホィールギヤ１００が押し下げられてギヤ復帰ばね１０２が圧縮される。このために、このクラッチホィールギヤ１００の噛合い歯部１００Ａがクラッチピニオンギヤ１０１の噛合い歯部１０１Ａより離れ、その噛合が解除される。
【００８５】
したがって、出力ギヤ２１０は指針復帰ばね１２１の復元力により回転して、可動指針２０は設定指針８１のところまで移動する。この設定指針８１は可動指針２０のストッパとしても機能するから、可動指針２０は設定指針８１の位置に停止する。
【００８６】
また、可動指針２０が設定指針８１の位置まで移動すると、ゼロマグネット２０ｂはホール素子２４−１と対向しなくなるから、前記制御回路（計数回路８）３にはホール素子２４−１から零点位置検出信号が与えられなくなり、これによって、計数回路８は再び駆動信号Ｓ１、Ｓ２、Ｓ３を出力してパルスモータ４を駆動する。
【００８７】
これと同時に、前記クラッチアクチュエータ１０４の電磁石１０３への通電が遮断されて、前記クラッチアクチュエータ１０４の可動レバー１０４Ａは無負荷状態になり、前記ギヤ復帰ばね１０２の付勢力によりクラッチホィールギヤ１００が押し上げられていて、このクラッチホィールギヤ１００の噛合い歯部１００Ａがクラッチピニオンギヤ１０１の噛合い歯部１０１Ａに噛み合う。
【００８９】
したがって、前記パルスモータ４が駆動されると、モータピニオン１２０が回転して、このモータピニオン１２０に噛み合っているクラッチホィールギヤ１００が回転し、互いに噛み合っている噛合い歯部１００Ａ、１０１Ａを介してクラッチピニオンギヤ１０１が回転して出力ギヤ２１０が回転し、可動指針２０が設定時限位置（時間表示３０の位置）から零点位置に向けて移動を開始すると共に、指針復帰ばね１２１も同時に巻き込まれて復元エネルギーを蓄積していく。
【００９０】
なお、電気復帰タイプのクラッチＫを用いた可動指針型タイマＴの動作チャートは図２２のようになる。なお、図２２中ｔはセット時間、Ｒｔはリセット時間、ｔ´は停電時間である。また、クラッチアクチュエータ１０４の電磁石１０３に通電されていない状態で、前記ギヤ復帰ばね１０２のばね付勢力によりクラッチ・オンになるために、停電になると可動指針２０が停止し、再起動時、設置時間の途中から動き出し、指針保持が行われる。
【００９１】
（実施の形態例２）
図２３乃至図２７に本発明の実施の形態例２を示す。
この実施の形態例２では、自己復帰タイプのクラッチＫー１を用いた可動指針型タイマＴー１を説明する。
【００９２】
この可動指針型タイマＴー１は、上記した可動指針型タイマＴにおいて、電気復帰タイプのクラッチＫを自己復帰タイプのクラッチＫー１に変更し、限時・瞬時切替出力リレー８６−１、この限時・瞬時切替出力リレー８６−１の切替手段としてのスライドスイッチ８６−２を追加したものであり、他の構成は可動指針型タイマＴと略同じであるために、同一符号を付して説明を省略する。
【００９３】
可動指針型タイマＴー１におけるクラッチＫ−１は、上記した電気復帰タイプのクラッチＫの構成部品を変えることなく、前記ギヤ復帰ばね１０２の取付位置と、クラッチアクチュエータ１０４の取付位置とを変えることにより実現できる。
【００９４】
そして、自己復帰タイプのクラッチＫ−１における前記ギヤ復帰ばね１０２の取付位置は、図２４に示すようにクラッチホィールギヤ１００とクラッチピニオンギヤ１０１との間である。
【００９５】
したがって、ギヤ付勢手段であるクラッチアクチュエータ１０４の電磁石１０３に通電して、このクラッチアクチュエータ１０４を作動することにより、クラッチホイールギヤ１００は、クラッチピニオンギヤ１０１側に付勢されて、一方の噛合い歯部１００Ａが他方の噛合い歯部１０１Ａに噛合い、クラッチ・オンの状態になって、クラッチホイールギヤ１００がクラッチピニオンギヤ１０１に結合している。したがって、パルスモータ４によりクラッチホイールギヤ１００が回転駆動されると、この回転は一方及び他方の噛合い歯部１００Ａ、１０１Ａを介してクラッチピニオンギヤ１０１に伝達されて出力される。
【００９６】
また、クラッチアクチュエータ１０４の電磁石１０３への通電を遮断すると、このクラッチアクチュエータ１０４が作動を停止するので、クラッチホイールギヤ１００を付勢解除手段であるギヤ復帰ばね１０２が移動させてクラッチ・オフの状態になって、クラッチホイールギヤ１００とクラッチピニオンギヤ１０１との結合を解除する。このために、パルスモータ４によりクラッチホイールギヤ１００が回転駆動されても、この回転はクラッチピニオンギヤ１０１に伝達されず、出力されない。
【００９７】
そして、自己復帰タイプのクラッチＫ−１を用いた可動指針型タイマＴ−１においては、図２３に示すように出力回路１４の出力側には限時固定出力リレー１５の入力側と、限時・瞬時切替出力リレー８６−１の切替入力側とに接続してあり、出力回路１４の入力側には限時・瞬時切替出力リレー８６−１の切替手段としてのスライドスイッチ８６−２が接続してある。
【００９８】
また、可動指針型タイマＴ−１においては、図３に示すように限時・瞬時切替出力リレー８６−１の切替手段としてのスライドスイッチ８６−２が第５基板４４に搭載してあり、このスライドスイッチ８６−２の操作部８６−３が操作用孔部２９より外方に突出している。したがって、この操作部８６−３を操作することによりスライドスイッチ８６−２を作動して限時・瞬時切替出力リレー８６−１に切替を行うことができる。
【００９９】
次に、上記のように構成された可動指針型タイマＴー１の作動を説明する。
前記クラッチアクチュエータ１０４の電磁石１０３に通電がなされた状態では、図２５に示すようにクラッチアクチュエータ１０４の可動レバー１０４Ａが作動して、クラッチホィールギヤ１００が押し上げられてギヤ復帰ばね１０２が圧縮される。このために、このクラッチホィールギヤ１００の噛合い歯部１００Ａがクラッチピニオンギヤ１０１の噛合い歯部１０１Ａに噛み合う。
【０１００】
前記設定指針８１と可動指針２０とが重なりあい、共に目盛り表示の０を指している状態で、前記摘み部材８６を指で摘んで、この摘み部材８６を捻ることにより設定指針８１を回転させて、所定の時刻、例えば３０秒の位置（目盛り表示が３０の位置）に移動させると、この設定指針８１に設けた前記連れ回り機構部により、前記可動指針２０が設定指針８１と共に移動して目盛り表示が３０のところに位置する。
【０１０１】
このように、前記設定指針８１と可動指針２０とを設定時限に対応して操作することにより、制御回路３に設定時限に対応する所要時限のデータを与える。制御回路３の仕様切替スイッチ８Ａからは、この操作に対応した設定信号が計数回路８に与えられる。
【０１０２】
前記計数回路８は、上記のような所要時限に対応した周波数に設定されたクロックパルスＣＰの入力に応答して駆動信号Ｓ１、Ｓ２、Ｓ３をそれぞれ第１、第２、第３のモータ駆動トランジスタＴｒ１、Ｔｒ２、Ｔｒ３に順次出力していく。これによって、パルスモータ４のステータ１０８の突極に巻回されている励磁コイルＮ１＋、Ｎ１−；Ｎ２＋、Ｎ２−；Ｎ３＋、Ｎ３−に電流が流れ、パルスモータ７４のロータ１０６が回転し、この回転によりモータピニオン１２０が回転して、このモータピニオン１２０に噛み合っているクラッチホィールギヤ１００が回転し、互いに噛み合っている噛合い歯部１００Ａ、１０１Ａを介してクラッチピニオンギヤ１０１が回転し出力ギヤ２１０が回転する。
【０１０３】
この出力ギヤ２１０の回転に伴い、この出力ギヤ２１０の支軸部２４０に取り付けられた可動指針２０が設定時限位置（時間表示３０の位置）から零点位置に向けて移動を開始すると共に、指針復帰ばね１２１も同時に巻き込まれて復元エネルギーを蓄積していく。可動指針２０はパルスモータ４の回転速度に合わせて移動するが、その場合、設定時限位置と零点位置との間をその時限に合わせた時間をかけて移動することになる。
【０１０４】
そして、可動指針２０が零点位置に到達すると、可動指針２０に設けられたゼロマグネット２０ｂがホール素子２４−１に対向した位置に来る結果、ホール素子２４−１は零点位置検出信号を制御回路３に出力する。この制御回路３は、この零点位置検出信号の入力に応答して駆動信号Ｓ１、Ｓ２、Ｓ３に出力を停止するから、可動指針２０が零点位置に到達すると同時にパルスモータ４は無励磁の状態になり、保持トルクがなくなる。
【０１０５】
また、可動指針２０が零点位置に到達すると同時に、前記クラッチアクチュエータ１０４の電磁石１０３への通電が遮断されると、可動レバー１０４Ａが無負荷状態になり、前記ギヤ復帰ばね１０２の付勢力によりクラッチホィールギヤ１００が押し下げられていて、このクラッチホィールギヤ１００の噛合い歯部１００Ａとクラッチピニオンギヤ１０１の噛合い歯部１０１Ａとの噛合が解除される。
【０１０６】
したがって、出力ギヤ２１０は指針復帰ばね１２１の復元力により回転して、可動指針２０は設定指針８１のところまで移動する。この設定指針８１は可動指針２０のストッパとしても機能するから、可動指針２０は設定指針８１の位置に停止する。
【０１０７】
また、可動指針２０が設定指針８１の位置まで移動すると、ゼロマグネット２０ｂはホール素子２４−１と対向しなくなるから、制御回路３にはホール素子２４−１から零点位置検出信号が与えられなくなり、これによって、計数回路８は再び駆動信号Ｓ１、Ｓ２、Ｓ３を出力してパルスモータ４を駆動する。
【０１０８】
これと同時に、前記クラッチアクチュエータ１０４の電磁石１０３に通電がなされ、図２５に示すように可動レバー１０４Ａが作動してクラッチホィールギヤ１００が押し上げられてギヤ復帰ばね１０２が圧縮される。このために、このクラッチホィールギヤ１００の噛合い歯部１００Ａがクラッチピニオンギヤ１０１の噛合い歯部１０１Ａに噛み合う。
【０１０９】
したがって、前記パルスモータ４が駆動されると、モータピニオン１２０が回転して、このモータピニオン１２０に噛み合っているクラッチホィールギヤ１００が回転し、互いに噛み合っている噛合い歯部１００Ａ、１０１Ａを介してクラッチピニオンギヤ１０１が回転して出力ギヤ２１０が回転し、可動指針２０が設定時限位置（時間表示３０の位置）から零点位置に向けて移動を開始すると共に、指針復帰ばね１２１も同時に巻き込まれて復元エネルギーを蓄積していく。
【０１１０】
なお、自己復帰タイプのクラッチクラッチＫ−１を用いた可動指針型タイマＴ−１の動作チャートは図２７のようになる。なお、図２７中ｔはセット時間、Ｒｔはリセット時間、ｔ´は停電時間である。
【０１１１】
【発明の効果】
以上説明したように、本発明に係る可動指針型タイマによれば、パルスモータのモータ駆動回路と零点検出回路及び出力回路とをマイクロコンピュータで制御するようにして、メカニカル部品を極力少なくし得て、構成を簡単化して、金型のメンテナンス、部品管理、寸法維持に労力を要することなく、低コストを達成することができるばかりか、アップ・ダウンキーによる設定に手間がかかるデジタルタイマに比較して、視認性、操作性の良いものとなる。
【０１１２】
また、駆動源にパルスモータを用い、このパルスモータの電源に電源回路を用いることにより、内部をＤＣ化することができ、フリー電圧で且つ５０／６０ＨＺの区分なしに、タイマを使用することができるようになる。このために、電圧仕様のシリーズを減少させることができて在庫管理が容易になるし、時間仕様が商用周波数に影響されないものになる。
【０１１３】
また、電源回路と、前記モータ制御回路と、前記パルスモータと、前記零点検出回路とを基板に搭載した状態でメインフレームに組み付け、このメインフレームをケースに固着し、前記メインフレームに、タイマ本体を取付部材に固定するタイマ取付用部材を設けたことにより、ケース内に、前記電源回路と、前記モータ制御回路と、パルスモータと、前記検出手段とをコンパクトに収納することができて、組み立て性も良好になるし、また、可動指針型タイマを、タイマ取付用部材を用いて、例えば取付部材に取り付けた場合に、前記電源回路と、前記モータ制御回路と、前記パルスモータと、前記零点検出回路の重量がすべてメインフレームを介して取付部材に加わり支えられて、ケースには前記重量が加わらないために、このケースを、肉厚の薄い小型にすることができ、可動指針型タイマ自体を小型化、軽量化することができる。
【図面の簡単な説明】
【図１】本発明に係る可動指針型タイマの正面図である。
【図２】同可動指針型タイマの前部の側面図である。
【図３】（１）は同可動指針型タイマの縦断面図である。
（２）は基板構成の斜視図である。
【図４】同可動指針型タイマの内部構造のブロック図である。
【図５】電気復帰タイプの可動指針型タイマの内部構造のブロック図である。
【図６】（１）は同可動指針型タイマのケースの側面図である。
（２）は同ケースの正面図である。
【図７】（１）は同ケースの横断面図である。
（２）は同ケースの縦断面図である。
（３）は図６の（２）のイ−イ線に沿う断面図である。
【図８】（１）は同可動指針型タイマのメインフレームの正面図である。
（２）は同メインフレームの縦断面図である。
（３）は同メインフレームの裏面図である。
（４）は（１）のロ−ロ線に沿う断面図である。
【図９】電気復帰クラッチの断面図である。
【図１０】同クラッチにおけるクラッチ・オンの状態の断面図である。
【図１１】同クラッチにおけるクラッチ・オフの状態の断面図である。
【図１２】（１）は可動指針の断面図である。
（２）は同可動指針の側面図である。
（３）は同可動指針の平面図である。
（４）は同可動指針の裏面図である。
【図１３】（１）は切替用回転部材の平面図である。
（２）は同切替用回転部材の裏面図である。
（３）は同切替用回転部材の断面図である。
【図１４】（１）は切替用表示部材の平面図である。
（２）は同切替用表示部材の側面図である。
（３）は同切替用表示部材の断面図である。
（４）は同切替用表示部材の裏面図である。
【図１５】（１）は切替用押えカバーの平面図である。
（２）は同切替用押えカバーの側面図である。
（３）は同切替用押えカバーの裏面図である。
（４）は同切替用押えカバーの正面図である。
（５）は（１）のハ部分の拡大図である。
【図１６】（１）はフロントカバーの正面図である。
（２）は同フロントカバーの側面図である。
（３）は（１）のニ−ニ線に沿う断面図である。
（４）は同フロントカバーの裏面図である。
【図１７】（１）はサイドカバーの正面図である。
（２）は同サイドカバーの側面図である。
（３）は（１）のホ−ホ線に沿う断面図である。
（４）は同サイドカバーの裏面図である。
【図１８】（１）は設定指針の側面図である。
（２）は同設定指針の平面図である。
（３）は（２）のヘ−ヘ線に沿う断面図である。
（４）は同設定指針の裏面図である。
【図１９】（１）は摘み部材の裏面図である。
（２）は（１）のト−ト線に沿う断面図である。
（３）は同摘み部材の平面図である。
【図２０】パルスモータの斜視図である。
【図２１】パルスモータの駆動制御部のブロック図である。
【図２２】電気復帰タイプの可動指針型タイマの作動チャートである。
【図２３】自己復帰タイプの可動指針型タイマの内部構造のブロック図である。
【図２４】同可動指針型タイマにおける自己復帰クラッチの平面図である。
【図２５】同自己復帰クラッチにおけるクラッチ・オンの状態の断面図である。
【図２６】同クラッチにおけるクラッチ・オフの状態の断面図である。
【図２７】自己復帰タイプの可動指針型タイマの作動チャートである。
【図２８】従来の可動指針型タイマの要部の斜視図である。
【符号の説明】
１    端子台部
２    電源回路
３    制御回路
４    パルスモータ
６    表示部
７    発振回路（発振手段）（制御回路）
８    計数回路（計数手段）
８Ａ  時間仕様切替スイッチ（時間仕様切替手段）（制御回路）
９    モータ駆動回路（制御回路）
１０  減速ギヤ列
１１  目盛板
１３  検出手段
１３Ａ  零点検出回路（検出手段）（制御回路）
１４  出力回路（制御回路）
１５  限時固定出力リレー
１６  瞬時出力リレー
２０  可動指針
２４−１  ホール素子
８１  設定指針
８６  摘み部材
８６−１  限時・瞬時切替出力リレー
【図１】
0003774996.tif 000002
【図２】
0003774996.tif 000003
【図３】
0003774996.tif 000004
【図４】
0003774996.tif 000005
【図５】
0003774996.tif 000006
【図６】
0003774996.tif 000007
【図７】
0003774996.tif 000008
【図８】
0003774996.tif 000009
【図９】
0003774996.tif 000010
【図１０】
0003774996.tif 000011
【図１１】
0003774996.tif 000012
【図１２】
0003774996.tif 000013
【図１３】
0003774996.tif 000014
【図１４】
0003774996.tif 000015
【図１５】
0003774996.tif 000016
【図１６】
0003774996.tif 000017
【図１７】
0003774996.tif 000018
【図１８】
0003774996.tif 000019
【図１９】
0003774996.tif 000020
【図２０】
0003774996.tif 000021
【図２１】
0003774996.tif 000022
【図２２】
0003774996.tif 000023
【図２３】
0003774996.tif 000024
【図２４】
0003774996.tif 000025
【図２５】
0003774996.tif 000026
【図２６】
0003774996.tif 000027
【図２７】
0003774996.tif 000028
【図２８】
0003774996.tif 000029